(57)【要約】【課題】人が寝た姿勢で体圧を良好に分散できるとともに、通気性も向上でき、良質な睡眠を期待することができるマットレスを提供する。【解決手段】平臥姿勢の人の身体を支持し得る大きさでクッション性素材からなるマットレスであって、表面側に平臥姿勢の人の身長方向Ｌの断面が上凸円弧状でマットレス幅方向Ｗに所要長さを有する支持単位１２を人の身長方向Ｌに隣接して連続形成した支持単位群１４を含むマットレス１０から構成される。【選択図】図１
2020005776.tif 000002
【特許請求の範囲】
【請求項１】
単独で設置されるか又は他のマットレスの上に積層して配置される場合には最も人体側に設置されて平臥姿勢の人の身体を支持し得る大きさでクッション性素材からなるマットレスであって、表面側に平臥姿勢の人の身長方向の断面が上凸円弧状でマットレス幅方向に所要長さを有する支持単位を人の身長方向に隣接して連続形成した支持単位群を含むことを特徴とするマットレス。
【請求項２】
支持単位群は、平臥姿勢の人の頭部近傍と腰部近傍と足先近傍となる領域に設けられる低反発支持単位群と、肩部又は胴部近傍と大腿部近傍となる領域に設けられる高反発支持単位群と、を含むことを特徴とする請求項１記載のマットレス。
【請求項３】
支持単位は、波板状に表面側と裏面側に凹凸が交互に繰り返される表面側の凸部で形成され、これらの複数の波型状凸部で支持単位群が形成されたことを特徴とする請求項１または２記載のマットレス。
【請求項４】
低反発支持単位群は、波型状凹凸部を形成している板厚が細く形成されるとともに、
高反発支持単位群は、波型状凹凸部を形成している板厚が太く形成されたことを特徴とする請求項３記載のマットレス。
【請求項５】
低反発支持単位群は波型状凹凸部の隣接する凹部又は凸部どうしの間隔が狭く設定されるとともに、
高反発支持単位群は波型状凹凸部の隣接する凹部又は凸部どうしの間隔が広く設定されたことを特徴とする請求項２ないし４のいずれかに記載のマットレス。
【発明の詳細な説明】
【技術分野】
【０００１】
本発明は、良質な睡眠を期待できるマットレスに関する。
【背景技術】
【０００２】
従来、人が寝る際にベッドの上や布団の下などに敷いて利用されるマットレスは、スプリング式のマットレスや、ウレタンフォーム製のマットレス等が知られており、バネやウレタン素材のクッション性や反発力で人の身体を支持するようになっている。また、マットレスは、人の身体を面状に支持するように表面側が平坦なタイプや、身体を点状に支持すように表面側に多数の凸部が設けられたタイプ（例えば、特許文献１参照）などが知られている。マットレスは、人が睡眠をとる際に長時間にわたって、横たわった人の頭部、肩部や背中、腰部や臀部、脚部等の各部位を支持することから、使用者の身体に合わないと、いずれかの身体の部位に局所的に負荷がかかったり不自然な姿勢となったりしてしまう結果、かえって疲れたり、肩こり、首痛、腰痛等を引き起こしたり、睡眠不足となったりして、健康被害を及ぼしたりするおそれがある。よって、マットレスは、良質な睡眠を得るための重要な寝具の一つであり、こだわりをもって選ぶ人も多い。
【先行技術文献】
【特許文献】
【０００３】
【特許文献１】特開２００７−１１１４２３号公報
【発明の概要】
【発明が解決しようとする課題】
【０００４】
例えば、特許文献１には、人体側の第１層と前記第１層に積層された第２層を備えた少なくとも２層の軟質ポリウレタンフォーム層からなるマットレスクッション材であって、前記第１層は人体側に凹凸が形成された高反発軟質ポリウレタンフォームであり、前記第２層は前記第１層との積層面に複数の凹部を有するマットレスクッション材が記載されている。特許文献１のように通気性の確保等を目的としたり、寝た姿勢の人の体圧を均等に分散して身体への負荷を軽減したり、反発力による寝姿勢の安定や姿勢のコントロール等を目的としたマットレスに関する種々の技術が提案されている。しかしながら、未だ睡眠に何らかの不満がある人も多く、良質な睡眠を得るために体圧の分散や、通気性等の機能を改良やより向上させたマットレスの開発が望まれている。
【０００５】
本発明は上記従来の課題に鑑みてなされたものであり、その一つの目的は、人が寝た姿勢で体圧を良好に分散できるとともに、通気性も向上でき、良質な睡眠を期待できるマットレスを提供することにある。
【課題を解決するための手段】
【０００６】
上記課題を解決するために本発明は、単独で設置されるか又は他のマットレスの上に積層して配置される場合には最も人体側に設置されて平臥姿勢の人の身体を支持し得る大きさでクッション性素材からなるマットレスであって、表面側に平臥姿勢の人の身長方向Ｌの断面が上凸円弧状でマットレス幅方向Ｗに所要長さを有する支持単位１２を人の身長方向Ｌに隣接して連続形成した支持単位群１４を含むマットレス１０から構成される。
【０００７】
また、支持単位群１４は、平臥姿勢の人の頭部近傍（Ｘ１）と腰部近傍（Ｘ３）と足先近傍（Ｘ５）となる領域に設けられる低反発支持単位群３０と、肩部又は胴部近傍（Ｘ２）と大腿部近傍（Ｘ４）となる領域に設けられる高反発支持単位群３２と、を含むこととしてもよい。
【０００８】
また、支持単位１２は、波板状に表面側と裏面側に凹凸が交互に繰り返される表面側の凸部２０で形成され、これらの複数の波型状凹凸部２４で支持単位群１４が形成されたこととしてもよい。
【０００９】
また、低反発支持単位群３０は、波型状凹凸部２４を形成している板厚Ｔ１が細く形成されるとともに、高反発支持単位群３２は、波型状凹凸部を形成している板厚Ｔ２が太く形成されたこととしてもよい。
【００１０】
また、低反発支持単位群３０は波型状凹凸部２４の隣接する凹部２２又は凸部２０どうしの間隔Ｄ１が狭く設定されるとともに、高反発支持単位群３２は波型状凹凸部２４の隣接する凹部２２又は凸部２０どうしの間隔Ｄ２が広く設定されたこととしてもよい。
【発明の効果】
【００１１】
本発明のマットレスによれば、単独で設置されるか又は他のマットレスの上に積層して配置される場合には最も人体側に設置されて平臥姿勢の人の身体を支持し得る大きさでクッション性素材からなるマットレスであって、表面側に平臥姿勢の人の身長方向の断面が上凸円弧状でマットレス幅方向に所要長さを有する支持単位を人の身長方向に隣接して連続形成した支持単位群を含むことから、身体を線状に支持しながら体圧を良好に分散できるとともに、通気性も確実に確保でき、良質な睡眠を期待できる。また、マットレス自身の耐久性も高く長期間の利用を期待できる。
【００１２】
また、支持単位群は、平臥姿勢の人の頭部近傍と腰部近傍と足先近傍となる領域に設けられる低反発支持単位群と、肩部又は胴部近傍と大腿部近傍となる領域に設けられる高反発支持単位群と、を含む構成とすることにより、平臥姿勢の人を身体の部位ごとに適した反発力で支持されて滑らかにフィットされる結果、良好に体圧を分散して支持することができる。
【００１３】
また、支持単位は、波板状に表面側と裏面側に凹凸が交互に繰り返される表面側の凸部で形成され、これらの複数の波型状凹凸部で支持単位群が形成された構成とすることにより、簡単な構成で支持単位群を実現できるとともに、表面側と裏面側にも凹凸が形成されるので、通気性をより向上できる。
【００１４】
また、低反発支持単位群は、波型状凹凸部を形成している板厚が細く形成されるとともに、高反発支持単位群は、波型状凹凸部を形成している板厚が太く形成された構成とすることにより、材質が同じで波板の厚みを変更するだけの簡単な構造で低反発支持単位群と高反発支持単位群を具体的に実現でき、低コストで製造することができる。
【００１５】
また、低反発支持単位群は波型状凹凸部の隣接する凹部又は凸部どうしの間隔が狭く設定されるとともに、高反発支持単位群は波型状凹凸部の隣接する凹部又は凸部どうしの間隔が広く設定された構成とすることにより、平臥姿勢の人の身体をその体圧を良好に分散しながら安定して支持することができる。
【図面の簡単な説明】
【００１６】
【図１】本発明の第１の実施形態に係るマットレスの斜視図である。
【図２】図１のマットレスのＡ−Ａ線断面説明図である。
【図３】図２のマットレスの要部拡大説明図である。
【図４】本発明の他の実施形態のマットレスの要部の断面拡大説明図である。
【図５】図１のマットレスを他のマットレスに積層した態様の説明図である。
【図６】本発明の第２の実施形態に係るマットレスの要部の断面拡大説明図である。
【発明を実施するための形態】
【００１７】
以下添付図面を参照しつつ本発明のマットレスの実施形態について説明する。本発明に係るマットレスは、例えば、人が寝る際に載って使用するマットレスであり、平臥姿勢の人の身体を支持し得る大きさでクッション性素材から設けられたマットレスである。図１ないし図３は、本発明のマットレスの一実施形態を示している。図１、図２、図３に示すように、本実施形態では、マットレス１０は、人が載る表面側に平臥姿勢の人の身長方向の断面が上凸円弧状でマットレス幅方向Ｗに所要長さを有する支持単位１２を人の身長方向Ｌに隣接して連続形成した支持単位群１４を含む。本実施形態のマットレス１０は、例えば、ベッドの上等に単独ですなわち単一層のみで設置されて使用される。なお、マットレス１０は、後述のように他のマットレスの上に積層して最も人体側に設置して使用することもできる。
【００１８】
本実施形態では、マットレス１０は、例えば、体重等で加圧されると変形し、加圧力が解除されると元の形状に戻るようなクッション性及び弾発性、反発性がある発泡ウレタンフォームで形成されたウレタンマットレスからなる。マットレス１０は、例えば、本実施形態では、一人が寝れる大きさの、いわゆるシングルサイズの大きさで、人の身長方向Ｌが幅方向Ｗよりも長い平面視長方形状に設けられている。なお、マットレス１０の大きさは任意でよく、いわゆるセミダブルサイズ、ダブルサイズ、クイーンサイズ、キングサイズ等、その他任意のサイズでもよい。図１、図２、図３に示すように、マットレス１０の支持単位群１４の各支持単位１２は、平臥姿勢の人の身長方向Ｌの断面が上凸円弧状でマットレス幅方向Ｗに所要長さを有する凸部２０を含む。本実施形態では、支持単位１２の上凸円弧状の凸部２０は、マットレス幅の全体にわたって長く形成されている。支持単位群１４上に人が平臥した状態では、上凸円弧状の凸部２０を含む各支持単位１２で身体の接触部位を略線状に支持することとなる。よって、支持単位１２を連続した支持単位群１４で身体を支持することから、従来の面状に支持するマットレスと比較すると通気性を向上しうるとともに、従来の点状に支持するマットレスと比較して支持面積が大きく安定的に身体の部位を支持でき、良好な通気性と安定支持を図ることができる。複数の支持単位１２が連続形成された支持単位群１４は、例えば、表面側と裏面側に凹凸が交互に繰り返されるような波板状に形成されている。波板状の表面側の上凸円弧状の凸部２０で支持単位１２が形成されるとともに、表面側には上凸円弧状の凸部２０と下凹円弧状の凹部２２が交互に連続して波型状の凹凸部２４が形成されることによって、支持単位群１４が構成されているといえる。さらに、波板状の支持単位群１４の裏面側には、表面側同様に波型状の凹凸部が交互に形成されるが、表面側の凸部２０位置に対応して円弧状の凹部２６が形成されるとともに、表面側の凹部２２位置に対応して円弧状の凸部２８が形成されており、裏面側の凸部２８の先端側を中層のマットレス部材１８の上面に接触させて積層されている。なお、波板状の凸部２０及び凹部２２（凸部２４及び凹部２６）に接続される立ち上がり部２７は、比較的急な勾配で設けられている。表面側の複数の凸部２０の高さＨは、すなわち裏面側の凸部２８の最も下端から凸部２０の最高位までの高さは、全て一定の高さに設けられている。なお、図４に示すように波板状の支持単位群１４は、例えば、裏面側の凸部２８ａの形状が円弧状でなく平坦面で形成されることとしてもよい。この場合、中層のマットレス部材１８との接触面積が大きくなる。
【００１９】
図１、図２に示すように、本実施形態では、支持単位群１４は、平臥姿勢の人ＨＭの身長方向Ｌに向けて身体の各部位に対応して、低比較的身体の部位が沈みこみやすい反発支持単位群３０が設けられた領域と、比較的身体の部位が沈みこみにくい高反発支持単位群３２が設けられた領域と、を備える。具体的には、低反発支持単位群３０は、平臥姿勢の人の頭部近傍となる領域Ｘ１と、腰部近傍となる領域Ｘ３と、足先近傍となる領域Ｘ５に設けられる。高反発支持単位群３２は、肩部又は胴部近傍となる領域Ｘ２と、大腿部近傍となる領域Ｘ４と、に設けられる。よって、支持単位群１４は、人の頭部側から足側に向けて順に、第１の低反発支持単位群３０、第１の高反発支持単位群３２、第２の低反発支持単位群３０、第２の高反発支持単位群３２、第３の低反発支持単位群３０と、交互に連続して並設されている。図２では、説明のために支持単位群１４が変形していない状態で図示している。
【００２０】
図２、図３に示すように、本実施形態では、低反発支持単位群３０は、波型状凹凸部２４を形成している波板状の板厚Ｔ１が細く形成されるとともに、高反発支持単位群３２は、波型状凹凸部２４を形成している波板状の板厚Ｔ２が太く形成される。すなわち、低反発支持単位群３０と高反発支持単位群３２を形成している素材は同一の発泡ウレタンフォーム素材であるが、板厚Ｔ１、Ｔ２を変更することにより異ならせた反発力を実現して、低反発部分と高反発部分を構成している。さらに、低反発支持単位群３０では、波型状凹凸部２４の隣接する凸部２０どうしの間隔Ｄ１（又は凹部２２どうしの間隔）が比較的狭く設定されているとともに、高反発支持単位群３２では、波型状凹凸部２４の隣接する凸部２０どうしの間隔Ｄ２（又は凹部２２どうしの間隔）が比較的広く設定されている。図３では、説明のために一点鎖線Ｙで低反発支持単位群３０と高反発支持単位群３２の境界を示している。本実施形態では、低反発支持単位群３０と高反発支持単位群３２の凸部２０で板厚を変更して境界を形成されているが、凹部２２の位置を境界とすることとしてもよい。なお、低反発支持単位群３０と高反発支持単位群３２は発泡ウレタンフォームの発泡率や素材を変更して反発力を異ならせることとしてもよい。また、体圧分散の調整条件等によって低反発支持単位群３０と高反発支持単位群３２の凸部２０どうしの間隔を全て同じ幅で形成することとしてもよい。また、支持単位群１４は、全ての部分で同じ反発率で形成することとしてもよい。
【００２１】
本実施形態に係るマットレス１０では、上述のように構成されたことにより、マットレス１０上に人が平臥姿勢で載ると、支持単位群１４の上凸円弧状の支持単位１２によって、人の身長方向に沿って複数か所を略線状に支持する。その際、支持単位群１４の低反発支持単位群３０上に載った身体の部位（頭部近傍、腰部近傍、足先近傍）では、比較的深く沈みこむとともに、高反発支持単位群３２上に載った身体の部位（肩部及び胴部近傍、大腿部近傍）は比較的浅く沈み込む態様となり、身体にかかる負荷及び体圧を適度に分散し、良好な寝姿勢で寝ることができる。また、支持単位群１４は、表面側及び裏面側に波型状凹凸部が形成されているので、通気性がよく、人が快適に睡眠できるとともに、カビやダニ等の害虫も発生しにくく、衛生的に長期的に使用することができる。なお、支持単位群は厚板状の平らなマットレス材の一部に形成させてもよいし本実施形態のようにマットレス表面全体について支持単位群を形成したものであってもよい。
【００２２】
なお、図５に示すように、本実施形態のマットレス１０を他のマットレス（１６、１８）の上に積層して使用することとしてもよい。例えば、図５の例では、複数のマットレス部材を積層して、最も上層側すなわち最も人体側に本実施形態のマットレス１０が敷設される。図５では、他のマットレスを二点鎖線で示しており、最下層のマットレス部材１６と、その上に積層される中層のマットレス部材１８と、最上層に積層される本実施形態のマットレス１０と、の３層で構成されている例で説明する。最下層のマットレス部材１６は、例えば、比較的高反発力になるように設定された発泡ウレタンフォーム素材で直方体状に形成されている。中層のマットレス部材１８は、最下層のマットレス部材１６よりは反発力が低く設定された発泡ウレタンフォーム素材で、最下層のマットレス同様に直方体状に形成されている。なお、本実施形態のマットレス１０は、上述のように単独で使用されてもよいし、２層又は４層以上の積層構成であってもよく、複数層が積層された構成ではマットレス１０が最も人体側に配置されることとなる。また、マットレス１０よりも下層側のマットレス部材は、任意の反発力や構造であってもよい。
【００２３】
次に、図６を参照しつつ本発明のマットレスの第２の実施形態について説明する。上記した第１実施形態と同一構成、同一部材には、同一符号を付し、その詳細な説明は省略する。図６は、本第２実施形態のマットレスの要部を拡大した図である。本実施形態でも、マットレスは、上記同様に表面側に平臥姿勢の人の身長方向の断面が上凸円弧状でマットレス幅方向Ｗに所要長さを有する支持単位１２を人の身長方向Ｌに隣接して連続形成した支持単位群１４を含む構成であるが、支持単位１２及び支持単位群１４の構造が上記実施形態と異なっている。本実施形態では、支持単位１２は、略矩形板状の基部３６から上方に山状に凸設した突起で形成されており、人の身長方向Ｌの断面が上凸円弧状で、かつマットレス幅方向（図６では紙面に垂直な方向）に所用長さで形成されている。支持単位群１４は、このような形状の支持単位１２が人の身長方向Ｌに互いに隣接して連続形成されて構成される。本実施形態でも、上記実施形態のような支持単位群１４は、低反発支持単位群３０と、高反発支持単位群３２とを有する。本実施形態では、例えば、低反発支持単位群３０では、支持単位１２を形成している突起の人の身長方向Ｌの幅Ｔ３を比較的小さくするともに突起どうしの間隔を比較的狭く設定し、低反発支持単位群３０では、支持単位１２を形成している突起の人の身長方向Ｌの幅Ｔ４を比較的大きくするともに突起どうしの間隔を比較的広く設定して設けられている。なお、支持単位群１４を構成している支持単位１２で同じ反発力に設定して形成することとしてもよい。
【００２４】
以上説明した本発明のマットレスは、上記した実施形態のみの構成に限定されるものではなく、特許請求の範囲に記載した本発明の本質を逸脱しない範囲において、任意の改変を行ってもよい。
【産業上の利用可能性】
【００２５】
本発明のマットレスは、単独でベッド等の上に設置させたり、又は他のマットレスの上に積層状に配置したり、敷布団や敷布等と組み合わせたりして利用することができる。
【符号の説明】
【００２６】
１０    マットレス
１２    支持単位
１４    支持単位群
２０    凸部
２４    波型凹突部
３０    低反発支持単位群
３２    高反発支持単位群
【図１】
2020005776.tif 000003
【図２】
2020005776.tif 000004
【図３】
2020005776.tif 000005
【図４】
2020005776.tif 000006
【図５】
2020005776.tif 000007
【図６】
2020005776.tif 000008